(57)【特許請求の範囲】
【請求項１】
光ファイバのための両性型のケーブル又は導波管終端装置であって、
ロック穴を有するハウジングにして、前端を有し、該前端が、他の両性型のケーブル又は導波管終端装置のハウジングの前端の係合構造とほぼ同じでありかつ該係合構造と係合可能である係合構造を有するハウジングと、
前記ハウジングの前記前端を通して前記ハウジング内に取り外し可能なように設けられたプラグインサートと、を備えて成り、
前記プラグインサートが複数の光コネクタ収容ポートを有し、これら光コネクタ収容ポートの各々は、各光ファイバを整列させる各光フェルールを有した各光学アセンブリを収容するような寸法に設定されており、
かつ前記プラグインサートは、ほぼ円筒状表面及び前記円筒状表面にほぼ垂直である第一の表面を有し、
さらに前記プラグインサートは、前記ロック穴と接続するための前記円筒状表面の領域に設けられたナブ形体を有し、
前記第一の表面が、第一のフェルールポート及び第二のフェルールポートを有し、前記第一のフェルールポートが前記第一の表面から突出するプラグインサート延長部を有し、前記第二のフェルールポートが他の両性型のケーブル又は導波管終端装置のプラグインサートのプラグインサート延長部を収容するような寸法にされ、第一の光コネクタ収容ポートが前記第二のフェルールポートと連通し、第二の光コネクタ収容ポートが前記第一のフェルールポートと連通している、
ことを特徴とする、光ファイバのための両性型のケーブル又は導波管終端装置。
【請求項２】
前記プラグインサートが複数のバネラッチを備え、前記ナブ形体の各々が、それぞれのバネラッチに設けられていることを特徴とする請求項１記載の両性型終端装置。
【請求項３】
各バネラッチが、前記プラグインサートに片持ちにされることを特徴とする請求項２記載の両性型終端装置。
【請求項４】
前記第二のフェルールポートが、その中に設けられている第一のシールを有することを特徴とする請求項３記載の両性型終端装置。
【請求項５】
前記プラグインサートの前記円筒状表面がリッジ形体を有することを特徴とする請求項４記載の両性型終端装置。
【請求項６】
前記ハウジングの前記前端が停止表面を有し、前記プラグインサートのリッジが、前記プラグインサートが前記ハウジングの中に挿入される場合、前記停止表面に隣接していることを特徴とする請求項５記載の両性型終端装置。
【請求項７】
前記プラグインサートの前記プラグインサート延長部が、該プラグインサート延長部の中に部分的に設けられた保持部材を有することを特徴とする請求項６記載の両性型終端装置。
【請求項８】
前記プラグインサートの前記保持部材が、該保持部材の中に部分的に設けられたアライメントスリーブを有することを特徴とする請求項７記載の両性型終端装置。
【請求項９】
前記プラグインサートの前記アライメントスリーブが、前記光ファイバフェルールを受け入れるような寸法とされていることを特徴とする請求項８記載の両性型終端装置。
【請求項１０】
前記ハウジングの前記係合構造が、円筒体の一部が該円筒体の軸線方向に二箇所切欠かれることにより形成された第一の止めピン及び第二の止めピンを含むことを特徴とする請求項９記載の両性型終端装置。
【請求項１１】
前記ハウジングの前記係合構造が、前記第一の止めピン及び第二の止めピンの上に形成されるネジ形状を有することを特徴とする請求項１０記載の両性型終端装置。
【請求項１２】
前記第一の止めピンが、前記第一の止めピンの一方側で約６０°の弧長だけ、かつ他方の側で約１２０°の弧長だけ前記第二の止めピンから分離されることを特徴とする請求項１１記載の両性型終端装置。
【請求項１３】
前記第一の止めピンが約６０°の弧長を有し、かつ前記第二の止めピンが約１２０°の弧長を有することを特徴とする請求項１２記載の両性型終端装置。
【請求項１４】
前記ハウジングの前記ロック穴が、互いに正反対に向かい合っていることを特徴とする請求項１３記載の両性型終端装置。
【請求項１５】
前記ハウジングが内径面を有することを特徴とする請求項１４記載の両性型終端装置。
【請求項１６】
前記ハウジングの一部を囲むカバーチューブをさらに含み、前記カバーチューブが第一の端部を有し、前記第一の端部が第一の波状にうねっている表面を有することを特徴とする請求項１５記載の両性型終端装置。
【請求項１７】
前記各光フェルールが、ほぼ１．２５ｍｍ の直径を有することを特徴とする請求項１記載の両性型終端装置。
【発明の詳細な説明】
【０００１】
【発明の属する技術分野】
本発明は、光ファイバケーブルあるいは導波管の終端に関するものである。本発明は、より詳細には現場修理可能な両性型コネクタの形をとる終端 (termination) に関するものである。
【０００２】
【従来の技術】
現在では、高速で保証された通信の管理は一種の兵力である。従って、保証された通信線は非常に高く評価される産物である。おそらく、戦場ほど保証された通信が強く要求される場所は他にない。通信線は、データを送信し、大きな装置の個別構成要素を調整する。通信線は兵站上のデータを送信する。通信線は、敵の標的の場所に関するデータを送信する。通信線は、兵器及び人員の戦略上及び戦術的な配置に関するデータを送信する。通信の故障は惨事を生じる。歴史を通して、有効な通信は、成功した軍事戦闘の重要な要素として普及していた。
【０００３】
過去、単線で保証できない通信は、電波を介して放送された。他の人が通信の内容を知ることを防止するために、通信が暗号化された。次に、暗号化メッセージの予定された受信者は、通信を復号化し、メッセージの内容を知らせる。軍事の歴史は、暗号化通信内に含まれる秘密を首尾よく暴露する暗号破りの人の例が多くある。
【０００４】
専用ワイヤケーブルを介して通信を送信するような他の方法は、通信線を保証するために開発された。このようなケーブルは盗聴できるしあるいは電界は、通信が監視できるように他の電気装置に電流を誘起するために使用できる。
【０００５】
通信線に関する他の問題は、長い時間が掛かるかあるいは少量の転送データは何れにしても通信に全く類似していないということである。さらに、最新の装置は、この装置が適切に作動するように常に増加するデータ量を必要とする。従って、単位時間当たり大量の情報を伝達するデータ通信送信媒体、すなわち大きな帯域幅に対する要求がある。
【０００６】
最近の戦場では、司令センターが戦車群及び大砲列を一緒に一連の保証された通信ケーブルに結合することが想像される。前述された問題を解決するために、メーカーは、軍事通信を伝達する光ファイバケーブルを開発した。この光ファイバケーブルは、安全なハードワイヤードの通信線である。光信号は、電気ワイヤ導電を誘起するように電磁界を誘起しないので、光ファイバケーブルは、電線のように容易に盗聴できない。さらに、光ファイバケーブルは大きな帯域幅を有する。すなわち、光ファイバケーブルは、単位時間当たり大量の情報を伝達する。光ファイバケーブルの終端装置は、いわゆる拡大ビームコネクタを形成するレンズを含む。拡大ビームコネクタの長所は、拡大ビームコネクタが２つの終端装置間の結合を汚染する環境上の廃物に幾分寛容であるということである。実際には、レンズは、光ファイバを出る光のビームを拡大する。隣接終端装置の他のレンズは、光の拡大ビームを受け取り、後方へ下がって小さい点に集束し、他のケーブルの光ファイバに導入する。少量の廃物が拡大された光信号の一部を妨害する場合、通信は損なわれない。従って、拡大されたビーム終端装置は、戦場通信装置の要求の１つを得る。
【０００７】
しかしながら、拡大されたビーム終端装置が下側を有し、挿入損失は比較的高い。挿入損失は、光ビームを拡大することのために高い。拡大光ビームは、部分的に散乱され、消失されるので、この信号は、終端装置の各結合で出力を解放する。この信号は結局最後の光ケーブルの端部で消失されるので、挿入損失は、多数の光ケーブルが一緒にグループにまとめられることを防止する。すなわち、ケーブルから生じる使用できる光エネルギーが全くない。そのため、高価で、厄介で、電力を高めるリレー装置が送信装置と受信装置との間の光ケーブルに接続されない限り、信号送信装置と信号受信装置との間の距離は制限される。
【０００８】
拡大ビームコネクタ終端装置の他の下側は、一旦終端装置が環境上あるいは他の廃物で汚されるようになると、不可能でない場合、終端装置を洗浄及び／又は固定するのが非常に困難であるということである。従って、もし交換ケーブルが使用可能であれば、ケーブルの全長は交換されねばならない。
【０００９】
さらに、戦場条件は、２つの終端装置の結合が簡単であるべきであることを必要とする。兵隊は暗い戦場で２つの終端装置を一緒に接続できるので、簡単さは重要な設計特性である。戦場条件は、終端装置が軍用車、爆発性兵器、及び自然環境災害によって与えられる繰り返される衝撃に耐えるように構造上頑丈であるべきであることも必要である。しかしながら、通常の戦場の厳しさ及び廃物は、１つあるいは多数の終端装置に大きな被害を与え、従ってこの装置の修理あるいは交換を必要とする。
【００１０】
従って、他の終端装置と接続される場合低挿入損失を有し、現地で他の終端装置に容易に接続されている頑丈な現場修理可能終端装置に対する必要がある。
【００１１】
【発明が解決しようとする課題】
従って、本発明の目的は、頑丈であり、修理するのが容易である光ファイバのための終端装置を提供することにある。
本発明の他の目的は、戦場でブラインド接続可能である終端装置を提供することにある。
本発明のさらにもう一つの目的は、他の終端装置と結合される場合に低挿入損失を有する終端装置を提供することにある。
本発明の他の目的は、両性型終端装置を提供することにある。
本発明のさらにもう一つの目的は、製造し、組み立てるのに安価である終端装置を提供することにある。
本発明のさらにもう一つの目的は、耐スクープである終端装置を提供することにある。
本発明のさらにもう一つの目的は、本発明の終端装置を修理する工具を提供することにある。
【００１２】
【課題を解決するための手段】
本発明の１つの形態では、両性型終端装置は、ハウジングと、ハウジングの中に取り外しできるように挿入可能であるプラグインサートとを含んでいる。このハウジングは、前端及びこの前端から突き出る接続構造を有する。この接続構造はロック穴を有する。この接続構造は、他のハウジングの前端の接続構造とほぼ同じであり、この接続構造に接続可能である。プラグインサートは、その前端からハウジングに入る。このプラグインサートは、光学アセンブリを受け入れる光コネクタポートをさらに有する。各光学アセンブリは、光ファイバに取り付けられている光学フェルールを有する。プラグインサートは、第一の表面及びほぼ円筒状表面を有する。ほぼ円筒状表面は、第一の表面にほぼ垂直である。このプラグインサートは、ハウジングのロック穴と接続するほぼ円筒状表面上に設けられたナブ（こぶ）形体を有する。プラグインサートの第一の表面は、第一のフェルールポート及び第二のフェルールポートを有する。第一のフェルールポートが第一の表面から突き出るプラグインサート延長部を有する。第二のフェルールポートは、他のプラグインサートのプラグインサート延長部を収容されるような寸法にされる。第一の光コネクタ収容ポートは、第二のフェルールポートとつながっており、第二の光収容ポートは第一のフェルールポートとつながつている。
【００１３】
本発明の他の形態では、終端装置のためのプラグインサートを挿入し、取り外すための工具は、本体、プランジャ、ピン、及びバネを含んでいる。本体は、本体の長さを通して形成される主開口を有する。この主開口は、その中に形成されたスプリングシートを有する。この本体は、本体の直径を通して形成され、主開口にほぼ垂直であるピン移動開口も有する。本体は第一の端部及び第二の端部を有する。この第一の端部は、第一の摩擦グリップ及び第二の摩擦グリップを含み、この第一及び第二の摩擦グリップは、プラグインサートの圧縮バネラッチによって供給された力に反作用する。第一及び第二の摩擦グリップは、第一の距離を介してバネラッチに係合する。このプランジャは、大きい直径領域及び小さい直径領域を有する。この大きい直径領域は、その上に形成されたスプリングシートを有する。小さい直径領域及び大きい直径領域の両方の一部は、本体の主開口に摺動できるように設けられる。大きい直径領域はピン収容開口を有する。大きい直径領域は、作動表面の役目を果たす自由端を有する。プランジャの作動表面は、本体の第二の端部を越えて延びる。プランジャの小さい直径領域は、解放表面の役目を果たす自由端を有する。プランジャが並進されることによって完全に作動される場合、解放表面は第二の距離を通して並進する。第二の距離は第一の距離よりも大きい。このピンはプランジャーのピン収容開口に圧入される。このピンは、本体のピン移動開口にも設けられる。ピンとピンがピン移動開口内に並進できるピン移動開口との間のクリアランスが存在する。ピンとピン移動開口の表面との間のクリアランスは、少なくとも第二の距離と同じである。未解放状態では、ピンは、ピン移動開口の表面の一部に接触する。このバネは本体の主開口に設けられている。バネは、プランジャの小さい直径領域の一部を囲む。バネは、圧縮の状態であり、第一及び第二のスプリングシートに対する圧縮力に反作用する。
【００１４】
従って、出願人の発明は、コンパクトであり、修理するのが容易であり、耐スクープであり、両性型の、製造し、組み立てるのに安価であり、ブラインド接続可能であり、低挿入損失を有する終端装置を提供する。本発明のこれらの特徴及び他の特徴は、好ましい実施形態の下記の詳細な説明で詳述される。
【００１５】
本発明のより完全な理解及びその付随する長所の多くは、添付図面に関して考察される場合、下記の詳細な説明を参照することによってよりよく理解されるようになるので容易に得られる。
【００１６】
【発明の実施の形態】
次に、図面を参照すると、同じ参照番号は、いくつかの図面中、より詳細にはその図１〜図１１の同一あるいは対応する部品を示し、本発明の第一の実施形態は終端装置１０である。
【００１７】
図１は、両性型終端装置１０の分解透視図である。この終端装置１０は、ハウジング７０と、プラグインサート２０と、光ファイバコネクタあるいはアセンブリ４０、５０と、拡張スリーブ８０と、グリップリング１００と、カバーチューブ１１０と、クリックリング１２０と、ケーブルシール１４０と、バックエンドプラグ１５０と、関連シール３９、６０、９０、１３０とを含んでいる。図から分かるように、光ファイバアセンブリあるいはコネクタ４０及び５０は、取り外しできるようにプラグインサート２０に挿入可能である。同様に、光ファイバアセンブリ４０及び５０を含むプラグインサート２０は、ハウジング７０に挿入可能である。光ケーブル及びクリンプスリーブ（図３を参照せよ）に関連した光ファイバは、図１に示されていない。組み立て時、光ファイバ４０、５０は、対応する光ファイバに関連している。しかしながら、明瞭にする目的で、図１は光ファイバを示していない。そのとき拡張スリーブ８０の２つの半分割体８２、８６によって囲まれるクリンプスリーブも示されていない。同時に、拡張スリーブ８０はハウジング７０の一部を囲む。この拡張スリーブ８０は、光ファイバに対するいかなる物理的荷重もこのような荷重を光ケーブルからクリンプスリーブを通って拡張スリーブ８０に伝達することによって取り除くように歪み除去部材の役目を果たす。拡張スリーブ８０は、次に力をハウジング７０に伝達する。次に、カバーチューブ１１０及びクリックリング１２０は拡張スリーブ８０の上で摺動する。カバーチューブ１１０は、拡張スリーブ８０の２つの半分割体８２、８６が整列されないようになることを防止する。グリップリング１００は、次にカバーチューブ１１０の上に摺動する。カバーチューブ１１０をその位置に保持するために、バックエンドプラグ１５０はカバーチューブ１１０に対して固定されている。このバックエンドプラグ１５０は、拡張スリーブ８０の一部とネジ込まれるように係合される。拡張スリーブ８０の一部とバックエンドプラグ１５０との間に置かれているのはケーブルシール１４０である。
【００１８】
図２は、光ファイバコネクタ４０、５０の一つの透視図である。説明のために、複数のコネクタあるいはアセンブリの両方は、同一であり、それ自体、論議は、光ファイバコネクタあるいはアセンブリ４０に的を絞られる。光ファイバアセンブリ４０はＲＪ型のコネクタである。光ファイバアセンブリ４０は、片持ちにされたバネラッチ４４及びフェルール４２を含む。好ましい本体実施形態では、フェルール４２はおよそ１．２５ｍｍの外径を有する。例として、メソッドエレクトロニクス社は、小さい形状係数のＬＣ光ファイバコネクタとして知られているこのようなアセンブリあるいはコネクタを製造する。
【００１９】
図３は、光ファイバ２７０、２７１に接続された２つの光ファイバＲＪ型アセンブリあるいはコネクタ４０、５０の分解透視図である。光ファイバ２７０、２７１は、光ケーブル１６０から個別に取り除かれる。絶縁及び他のコーティングが光ケーブル１６０を逃がすことを防止するために、クリンプスリーブ１７０は、光ケーブル１６０の露出部及び光ファイバ２７０、２７１を囲み、次に、クリンプスリーブ１７０の金属材料を永久にプラスティックのように変形することによって所定の場所に固定される。光ファイバ２７０、２７１の他の端部は、光ファイバアセンブリ４０、５０で終端する。図３は、各アセンブリ４０、５０は、関連コネクタバネ４３、５３を有することを示す。コネクタカバー４１、５１は、コネクタパッケージでフェルール４２、５２及びコネクタバネ４３、５３を囲む。コネクタバネ４３、５３によって、フェルール４２、５２は、コネクタバネ４３、５３を圧縮するように内側に押し、浮かすことができる。浮動は重要であるので、バットジョイントが形成される場合、接触フェルール端がアライメントスリーブで出会う場合、これらは、関連光ファイバを同軸方向に整列させるように移動し、従って特に拡大ビームコネクタに比べて結合損失を減少させる。
【００２０】
図４Ａは、プラグインサート２０の透視図である。プラグインサート２０は、光ファイバアセンブリ４０、５０を収容するための第一及び第二のコネクタ収容ポート２９、３０を含んでいる。第一及び第二のコネクタ収容ポート２９、３０は、光ファイバアセンブリ４０、５０の片持ちにされたバネラッチ４４、５４を押し下げ、次に更なる挿入の際に、バネラッチ４４、５４は、光ファイバアセンブリ４０、５０をプラグインサート２０にしっかりと取り付けるように第一及び第二のコネクタ収容ポート２９、３０で膨張する形体を含む。第一及び第二のコネクタ収容ポート２９、３０は、光ファイバアセンブリ４０、５０のフェルール４２、５２をそれぞれのフェルール開口２８、３７と整列させる。開口３７の第一のフェルール収容ポートと関連するのは、プラグインサート延長部２３である。第二のフェルール開口すなわちポート２８は前部シールシート３２関連付けられている。前部シールシート３２は、前部シール３９を受け入れる（図１を参照せよ）。リッジ３１は、プラグインサート２０の周辺の一部に沿って形成される。互いに正反対に向き合っているのは、第一及び第二の片持ちにされたバネラッチ２４、２６である。第一の片持ちにされたバネラッチ２４は、外側に突き出る第一のナブ形体２５を含んでいる。第一のナブ形体２５の両側にあるのは工具摺動表面３５、３６である。第二の片持ちにされたバネ２６は、外側に突き出るナブ形体２７を有し、工具摺動表面３３、３４を有して同様に構成される。第一及び第二の片持ちにされたバネラッチ２４、２６の各々は、少なくとも各ナブ形体２５、２７の外側に突き出る距離量に等しい距離だけ互いの方へ内側に押し下げるように取り付けられる。
【００２１】
図４Ｂは、第一及び第二のナブ形体２５、２７の突出部をさらに示すプラグインサート２０の端面図である。図４Ｂは、第一及び第二のコネクタ除去ポート２９、３０及びリッジ３１の形体をさらに示している。
【００２２】
図４Ｃは、図４Ｂの切断線４Ｃ‐４Ｃに沿った断面図である。図４Ｃは、プラグインサート延長部２３と、保持部材２１と、整列スリーブ２２とを含むプラグインサート２０の内部構造を示す。実際には、アライメントスリーブ２２は保持部材２１の中に押し込まれる。その後、組み立てられた保持部材２１及びアライメントスリーブ２２はプラグインサート延長部２３に挿入される。好ましくは、アライメントスリーブ２２は金属材料で作られている分割スリーブである。
【００２３】
図５Ａは、ハウジング７０の側面図である。このハウジング７０は、第一の止めピン７１及びその前端から突き出る第二の止めピン７３を含んでいる。この第一の止めピン７１は、第一のネジ形状７２を有し、第二の止めピン７３は、その上に形成された第二のネジ山形状７４を有する。好ましくは、各ネジ山形状７２、７４は、各ネジ山が止めピンの構造により取り外された部分を有する２つのネジ山を含んでいる。第一の止めピン７１は、第一のロック穴７５Ａを有し、第二の止めピン７３は第二のロック穴７５Ｂを有する。第一及び第二の止めピン７１、７３から離れているハウジング７０の端部には八角形ロック７７がある。八角形ロック７７と第一及び第二の止めピン７１、７３とＦの間に置かれているのは保持部材７６である。
【００２４】
図５Ｂは、図５Ｄの切断線５Ｂ‐５Ｂに沿ったハウジング７０の断面図である。図５Ｂは、八角形ロック７７の詳細をさらに示している。第一及び第二の止めピン７１、７３の一部もさらに詳細に示されている。
【００２５】
図５Ｃは、ハウジング７０の前端あるいは挿入端の端面図である。ハウジング７０の挿入端は、プラグインサート２０がその中に接続される端部であるので、そのように名付けられる。図５Ｃは、停止表面７８及び第二の表面７９Ａを示している。さらに、第一及び第二の止めピン７１、７３の付加形体が開示されている。
【００２６】
図５Ｄは、図５Ａの切断線５Ｄ‐５Ｄに沿ったハウジングの断面図である。図５Ｄは、第二の止めピン７３及び停止表面７８の付加的な詳細を開示している。八角形ロック７７の付加的な詳細も開示されている。縦軸の周りにほぼ円筒状である内部表面７９Ｂが示されている。
【００２７】
図６は、ハウジング７０、プラグインサート２０、グリップリング１００、及びそのそれぞれのフェルール４２、５２に接続された光ファイバコネクタ４０、５０の部分透視図である。図６は、第二の止めピン７３に対して第二のフェルール開口すなわちポート２８の相対位置決め及び第一の止めピン７１に対して第一のフェルールポート３７及びその関連プラグインサート延長部２３の位置決めを示すために重要である。実際には、２つの整然と並んでいない両性型終端装置が接合されるように試みられる場合、フェルール４２は、隣接する第二の止めピン７３によって一方から、第一の止めピン７１及びプラグインサート延長部２３によって他方から保護されるので、このフェルール４２はひっくり返されないかあるいは破壊されないことが注目される。このような構成を有するこのような終端装置は耐スクープ (scoop-proof) として公知である。フェルール４２に接触するほぼ同一の両性型終端装置の唯一の構造が、意図されているように終端装置のプラグインサート延長部、及び関連する分割スリーブ及びフェルールである可能性の方が高い。この耐スクープ形体は終端装置１０の耐久性を加える。
【００２８】
図７Ａは、拡張スリーブ８０の１つの半分割体８２、８６の側面図である。拡張スリーブ８０の各半分割体８２、８６は本来同一である。拡張スリーブ８０の各半分割体８２、８６は、ネジ山形状８１と、第一の回転防止表面８３と、第二の回転防止表面８７と、第一の溝８４と、第二の溝８５とを有する。
【００２９】
図７Ｂは、図７Ａの切断線７Ｂ‐７Ｂに沿った拡張スリーブ８０の半分割体８２、８６の断面図である。図７Ｂは、第二の回転防止表面８７の形状を示す。第二の回転防止表面８７は、平坦部８８及び湾曲部８９を含んでいる。
【００３０】
図７Ｃは、図７Ａの切断線７Ｃ‐７Ｃに沿った拡張スリーブ８０の半分割体８２、８６の断面図である。図７Ｃは、通常線形セグメントで構成されている第一の回転防止表面８３の一般的な形状を示している。
【００３１】
図８Ａは、グリップリング１００の側面図である。図８Ａは、グリップリング１００のこぶし状に隆起された表面１０１を示している。
【００３２】
図８Ｂは、グリップリング１００の端面図である。図８Ｂは、第一のグリップリング保持部材溝部１０２及び第二のグリップリング保持部材溝部１０３、及び第一のウェブ１０４及び第二のウェブ１０５を示している。
【００３３】
図８Ｃは、図８Ｂの切断線８Ｃ‐８Ｃに沿ったグリップリング１００の断面図である。図８Ｃは、第一及び第二のウェブ１０４、１０５及び第二のグリップリング保持部材溝部１０３をさらに詳細に示している。グリップリングネジ山形状１０６は内部周辺面上に示されている。
【００３４】
図９Ａは、カバーチューブ１１０の端面図である。図９Ａは、カバーチューブ１１０の外部円筒状表面上に形成されるカバーチューブ開口１１２及びカバーチューブ起伏１１１を示している。
【００３５】
図９Ｂは、図９Ａの切断線９Ｂ‐９Ｂに沿ったカバーチューブ１１０の断面図である。図９Ｂは、カバーチューブ起伏１１１及びカバーチューブ開口１１２の他の詳細を示している。
【００３６】
図１０Ａは、バックエンドプラグ１５０の側面図である。図１０Ａは、平らな握り部１５４の１つをさらに示している。
【００３７】
図１０Ｂは、バックエンドプラグ１５０の端面図である。図１０Ｂは、ケーブル開口１５１、ケーブルシールシート１５２及びネジ山形状１５３をさらに示している。
【００３８】
図１０Ｃは、図１０Ｂの切断線１０Ｃ‐１０Ｃに沿ったバックエンドプラグ１５０の断面図である。図１０Ｃは、ケーブル開口１５１及びケーブルシールシート１５２の詳細とともにバックエンドプランジャ１５０の内部円筒状表面にあるネジ山形状１５３の詳細をさらに示している。
【００３９】
図１０Ｄは、バックエンドプランジャ１５０の他の端の端面図である。図１０Ｄは、ケーブル開口１５１及び握り部１５４の付加的な詳細を示す。
【００４０】
図１１Ａは、クリンプスリーブ１７０の端面図である。このクリンプスリーブ１７０は、六角形回転防止表面１７１を含んでいる。
【００４１】
図１１Ｂは、図１１Ａの切断線１１Ｂ‐１１Ｂに沿ったクリンプスリーブ１７０の断面図である。図１１Ｂは、クリンプスリーブ開口１７２の詳細をさらに示している。
【００４２】
実際には、バックエンドプラグ１５０及びケーブルシール１４０は、光ケーブル１６０の端部の上で摺動される。光ケーブル１６０は、露出した光ファイバ２７０、２７１を有している。次に、クリンプスリーブ１７０は、光ファイバ２７０、２７１が保護されないままにされる光ケーブル１６０の一部の周りに配置される。次に、クリンプスリーブ１７０は、次に金属材料を極度に変形するように機械的に波形にされるかあるいは圧縮されるので、光ケーブル１６０が解かれるようになることを防止するクリンプスリーブ１７０を所定の場所に固定する。図３に示されるように、光ファイバ２７０、２７１の自由端は、従ってそれぞれのフェルール４２、５２に関連している。次に、このフェルール４２、５２は、このフェルールのそれぞれのコネクタハウジング４０、５０に囲まれる。
【００４３】
次に、カバーチューブ１１０、グリップリング１００、クリンプリング１２０、及びハウジング７０は、光ファイバコネクタ４０、５０を露出するように端部光ケーブルの上を滑らかに動かされる。次に、拡張スリーブ８０の半分割体８２は、クリンプスリーブ１７０の六角形回転防止形体１７１と、ハウジング７０上の六角形ロック７７の近くに置かれている。拡張スリーブ半分割体８２の第一の回転防止表面８３は、クリンプスリーブ１７０の六角形回転防止形体１７１と接続される（図１１Ｂ）。拡張スリーブ８０の半分割体８２の第二の回転防止表面８７は、ハウジング７０の六角形ロック７７と接続される（図５Ａ）。次に、拡張スリーブ８０の第二の半分割体８６は、クリンプスリーブ１７０及びハウジング７０に同様に接合される。次に、カバーチューブ１１０は、拡張スリーブ８０の第一及び第二の半分割体８２、８６が互いから離れて移動することを防止するように拡張スリーブ８０の第一及び第二の半分割体８２、８６のアセンブリの上を摺動される。拡張スリーブ８０、ハウジング７０及びクリンプスリーブ１７０の回転防止形体は、これらの構成要素間のいかなる相対回転及び並進も防止し、さらに、拡張スリーブ８０は、歪み除去部材の役目を果たすので、光ファイバ２７０、２７１は少しの機械的力も伝達しない。
【００４４】
次に、ケーブルシール１４０は、拡張スリーブ８０の端部に対して押し上げられる。拡張スリーブ８０をカバーチューブ１１０に固定するために、底部端部プラグ１５０は、拡張スリーブ８０のネジ山形状８１に隣接しているように光ケーブル１６０を上方に摺動される。次に、バックエンドプラグ１５０は、バックエンドプラグ１５０のネジ山形状１５３を拡張スリーブ８０のネジ山形状８１に係合するように回転される。バックエンドプラグ１５０はもうさらに回転できなくなるまで、バックエンドプラグ１５０はさらに回転される。しかしながら、バックエンドプラグ１５０が、拡張スリーブ８０のネジ山８１上にネジ込まれる前に、後部シール１３０は、バックエンドプラグ１５０とカバーチューブ１１０との間に置かれている。図１０Ａ及び図１０Ｂに示されたバックエンドプラグ１５０の握り部１５４部は、拡張スリーブ８０のネジ山形状８１上にバックエンドプラグ１５０を回転させるように使用される。バックエンドプラグ１５０は、拡張スリーブ８０のネジ山上にロックされるような限界までネジられる。バックエンドプラグ１５０は、ブート（図示せず）として拡張スリーブ８０に固定される。次に、グリップシール９０は、グリップリング１００内のシール溝に挟み、クリックリング１２０はグリップリング１００に挟む。グリップリング１００及びクリックリング１２０のアセンブリは、カバーチューブ１１０の上に摺動される。グリップリング１００の保持部材溝部１０２、１０３は、ハウジング７０の保持部材７６のそばを通り過ぎる。
【００４５】
次に、中間シール６０は、ハウジング７０のシール溝１１４に導入される。この点で、構成要素のほとんど全ては組み立てられる。しかしながら、プラグインサート２０は、まだ他の構成要素と関連しない。このような時に、光ファイバコネクタ４０、５０の各々は、プラグインサート２０のコネクタのそれぞれのコネクタ収容ポート２９、３０に導入される。片持ちにされたバネ形体４４、５４は、プラグインサート２０のコネクタ収容器ポート２９、３０の所定の場所にクリックする。次に、前部シール３９は、第二のフェルール開口２８の前部シールシート３２の中に位置決めされる。次に、プラグインサート２０はハウジング７０に導入される。
【００４６】
プラグインサート２０は、好ましくは後述されるような特別な工具によってハウジング７０に導入される。この工具は、プラグインサート２０をハウジング７０に導入する。リッジ３１及びナブ形体２５は、ハウジング７０の第一の止めピン７１と第二の止めピン７３との間で使用可能な最長の弧長間にあるように置かれている。このような位置で、プラグインサート２０のリッジ３１がハウジング７０の停止表面７８に接触するまで、プラグインサート２０は、２つの部品間に形成されるスリップフィットの中に容易に押し込まれる。この時に、プラグインサート２０は、第一の片持ちにされたバネロック２４のナブ形体２５を第二の止めピン７３の第二のロック穴７５Ｂと、第二の片持ちにされたバネロック２６のナブ形体２７を第一の止めピン７３の第一のロック穴７５Ａと、係合するように回転される。この位置で、ナブ形体２５、２７は、後方にこの形体の実質的に向きをそらされない位置に急に動き、ロック穴７５及び７５Ｂに係合するので、ハウジング７０のプラグインサート２０をロックする。
【００４７】
好ましい実施形態では、第一の止めピン７１の弧長は６０°であり、第二の止めピン７３の弧長は１２０°である。他の同様な装置に関して両性型となるように、第一の止めピン７１は、一方の側の６０°の弧長及び他方の側の１２０°の弧長だけ第二の止めピン７３から分離される。
【００４８】
従って、プラグインサート２０は、後述されるような工具によってハウジング７０の前部から取り外すことができるので、このような構成要素の構成は重要である。このような終端装置１０の分解は容易な修理を可能にする。修理の際、工具はハウジング７０からプラグインサート２０を取り除く。光ファイバコネクタ４０、５０は、このコネクタの関連の片持ちにされるバネラッチ４４、５４を押し下げることによってプラグインサート２０から容易に取り外すことができる。従って、プラグインサートは、廃棄、交換あるいは修理できるしあるいはフェルール４２、５２は、環境上の汚染物及び廃物を取り除くように研磨できる。この装置は、光ファイバコネクタ４０、５０をプラグインサート２０に挿入し、次にプラグインサート２０をハウジング７０に挿入することによって再び容易に組み立てることができる。従って、この光ファイバ装置１０は使用されることができるようになる。
【００４９】
図で際立っているように、プラグインサート２０は、同じ形体及び寸法を有する他のプラグインサートに接続できる。一方のプラグインサート２０のプラグインサート延長部２３は、他方のプラグインサートの第二のフェルールポートあるいは開口２８に挿入可能であり、前部シール３９で密封する。同様に、他のプラグインサートのプラグインサート延長部は、第一のプラグインサートの第二の開口の中に接続する。このような時間で、フェルールは、互いに上部で端が接し、適切なしっかりと固定されたバットジョイントを保証するためにフェルールを浮揚の状態にするようにコネクタ４０、５０のバネ４３、５３を圧縮する。同様に、終端装置のハウジング７０の止めピンは、ハウジングの中の一方の第一の止めピンが他方のハウジングの第一及び第二の止めピン間にあり、第一のハウジングの第二の止めピンが完全な両性型終端装置のために行われるように他方のハウジングの第一及び第二の止めピン間にある場合、互いに相互作用する。グリップリング１００は、第一の終端装置ハウジング７０のネジ山７２、７４が、第二の終端装置のグリップリング１００のネジ山１０６に係合されるように前方へ摺動される。グリップリング１００に置かれたクリックリング１２０は、グリップリング１００が第一のハウジング上に完全にネジ込まれることを示す可聴雑音を生じる起伏１１１に係合するようなカバーチューブ１１０に沿って十分遠くへ並進するまで、グリップリング１００は、第一のハウジングのネジ山上で下方にさらに係合される。同様に、第一の終端装置のグリップリングは、第二のハウジング７０のネジ山形状に係合するように前方へ摺動され、可聴雑音がグリップリングと接触するカバーチューブの起伏により聞かれるまで、係合される。そのような場所で、２つの終端装置間の結合が完成する。
【００５０】
図１２は、プラグインサート挿入／取り外し工具１８０の分解透視図である。図１２は、工具本体１８１、工具バネ１８２、プランジャ１８３及びピン１８９を含む挿入／取り外し工具１８０の構成要素を示している。このプランジャ１８３は、大きい直径領域２０１と、小さい直径領域１８４と、解放表面１８５と、作動表面１８６と、プランジャスプリングシート２０２と、ラニヤード収容開口１８８と、ピン収容開口１８７とを含んでいる。この工具本体１８１は、第一の端部１９１と、第二の端部２０３と、ピン移動開口１９０と、主開口１９６と、第一の摩擦グリップ１９２と、第二の摩擦グリップ１９７とを含んでいる。この第一の摩擦グリップ１９２は、第一のトング１９３と、第二のトング１９４と、第一及び第二のトング１９３、１９４間にある第一のナブ収容スロット１９５とを含んでいる。第二の摩擦グリップ１９７は、第三のトング１９８と、第四のトング１９９と、第三及び第四のトング１９８、１９９間にある第二のナブ収容スロット２０４とを含んでいる。
【００５１】
図１２から明らかなように、工具バネの一端は、プランジャ１８３のプランジャスプリングシート２０２に接触させるようにプランジャ１８３の小さい直径領域１８４の上に摺動する。さらに工具バネ１８２及びプランジャ１８３の小さい直径領域１８４は、工具本体１８１の主開口１９６に挿入される。さらに、プランジャ１８３の大きい直径領域２０１の一部は、工具本体１８１の主開口１９６に挿入される。次に、このプランジャ８３は、プランジャ１８３のピン収容開口１８７が工具本体１８１のピン移動開口１９０と整列するまで、工具本体１８１の主開口１９６に導入される。このときに、ピン１８９は、ピン移動開口１９０及びピン収容開口１８７に導入される。ピン１８９は、ピン収容開口１８７に圧入される。ピン１８９が少なくとも部分的にはプランジャ１８３及びピン移動開口１９０の中に係合される場合、このピン１８９は、最後のアセンブリ位置である。
【００５２】
図１３は、図１２の挿入／取り外し工具１８０の組み立てられた透視図である。実際には、操作員は、プランジャ１８３の作動表面１８６に力を加える。作動力は、工具バネ１８２のバネ力を抑えるのに十分大きくなければならない。この時に、プランジャ１８３は、プランジャ１８３の小さい直径領域１８４がアライメントスリーブ延長部２３に接触できるように工具バネ１８２を圧縮する。このプランジャ１８３は、ピン移動開口１９０の直径とピン１８９の外径の差に等しい差を移動できる。プランジャ１８３の移動量は、少なくとも第一及び第二のナブ収容スロット１９５、２０４の長さと同様に大きい。工具本体１８１の外部表面は、挿入／取り外し工具１８０のつかみを高めるように表面パターンのきめを出した。図１３は、第一及び第二の摩擦グリップ１９２、１９７のトングのカムを取り付けられた表面あるいは摺動表面をさらに示している。
【００５３】
図１４は、プラグインサート２０を保持する挿入／取り外し工具１８０の透視図である。図１４に示されるように、プラグインサート２０のナブ形体２５は、第一の摩擦グリップ１９２のナブ収容スロットに置かれている。
【００５４】
第一及び第二の摩擦グリップ１９２、１９７のトングのカムを取り付けられた表面及び摺動表面は、対向するナブ形体２５、２７を互いの方へ押すようにプラグインサート２０の工具摺動表面３３、３４、３５、及び３６に係合し、ナブ形体２５、２７の最も遠い部分がプラグインサート２０の主本体部を越えて突き出さないことを保証する。
【００５５】
図１５は、戦術アクセス装置２６０に取り付けるための本発明の終端装置の他の実施形態の分解透視図である。アセンブリの方法は、本来前述と同じである。しかしながら、ハウジング２１０は、ハウジング２１０にある補足的なネジ山上にネジ込まれるように係合される取り付けナット２３０によって、戦術アクセス装置２６０に取り付けられ、それによって固定される。ハウジング２１０を通過し、光ファイバが通過されるファイバシール２００も設けられる。挿入／取り外し工具１８０も示される。一旦プラグインサート２０及び終端装置の残りの構成要素は組み立てられると、キャップシール２８０は、ラニヤード２４０によってハウジング２１０に取り付けられたダストキャップ２５０に導入される。このダストキャップ２５０は、ハウジング２１０の止めピンと接続し、コネクタ４０、５０のフェルールを廃物から保護するようにハウジング２１０の止めピン上のネジ山にネジ込まれるように係合するように設計される。キャップシール２８は、さらにフェルールが存在する開口を密封することによって他の保護をフェルールに加える。プラグインサート２０及び光ファイバコネクタ４０、５０のフェルールは修理あるいは交換できるので、戦術アクセス装置２６０の構成要素としての本発明の終端装置の使用は重要である。挿入／取り外し工具１８０は、プラグインサート２０をハウジング２１０から取り除くできる。次に、プラグインサート２０は、交換あるいは修理でき、コネクタ４０、５０及びその関連フェルールは、交換あるいは修理でき、次に再組み立てできる。これの全ては戦術アクセス装置２６０の内部に入らないで行うことができる。戦術アクセス装置２６０は、操作員がその中に含まれた臨界部品に近づかないで組み立てられた状態のままにすることができる。接続装置の修理作業の全ては戦術アクセス装置２６０の筺体の中に手を差し出さないで実行される。
【００５６】
図１６は、終端装置１０の挿入／取り外し工具１８０、プラグインサート２０、光ファイバコネクタ４０、５０、及びハウジング７０の透視図である。実際には、挿入／取り外し１８０は、プラグインサート２０のバネラッチ２４、２６に係合し、次にプラグインサート２０をハウジング７０に挿入することを続ける。
【００５７】
図１７は、係合された構成要素を有する図１６の図示されたアセンブリの透視図である。この位置では、挿入／取り外し１８０は組み立てられた構成要素から取り外される。
【００５８】
前述されるように、挿入中、挿入／取り外し工具１８０は、プラグインサート２０に取り付けられ、次にこのアセンブリは、プラグインサート２０のリッジ３１及び第一及び第二の止めピン７１、７３との間のナブ形体２５を位置決めするように配置される。そこで、リッジ３１及びナブ形体２５は、ハウジング７０の停止表面７８の上に置かれている。次に、挿入／取り外し工具１８０及びプラグインサート２０は、リッジ３１がハウジング７０の停止表面７８に接触するまで、ハウジング７０に導入される。この時に、挿入／取り外し工具１８０は、ナブ形体２５をハウジング７０の最も接近しているロック穴７５Ｂと整列させるべきである可能な方向だけに回転される。一旦ナブ形体２５、２７がロック穴７５Ａ、７５Ｂと整列されるとすると、挿入／取り外し工具１８０のプランジャ１８３の作動面１８６が押し下げられるが、主本体１８１は操作員の方へ移動される。挿入／取り外し工具１８０の主本体１８１は、摩擦グリップ１９２、１９７がプラグインサート２０の片持ちにされたバネラッチ２４、２６の工具摺動表面３３、３４、３５及び３６を解放するまで、プランジャ１８３に対してさらに移動される。次に、プラグインサート２０の片持ちにされたバネラッチ２４、２６は、ナブ形体２５、２７がロック穴７５Ａ及び７５Ｂに導入されるこのバネラッチの関連ナブ形体２５及び２７を自由に拡大できるので、プラグインサート２０をハウジング７０にロックする。コネクタ４０、５０、フェルール５４、４４、及びプラグインサート２０の組み立て及び／又は修理は、これにより完了する。
【００５９】
プラグインサート２０の取り外しは実質的に挿入手順の逆である。この挿入／取り外し工具１８０は、摩擦グリップをプラグインサートの工具摺動表面と係合するように終端装置１０に導入される。一旦挿入／取り外し工具１８０が完全にプラグインサート２０と係合されると、ナブ形体２５、２７はロック穴７５Ａ、７５Ｂから取り除かれる。この時に、挿入／取り外し工具１８０は回転できるので、ハウジングの止めピン７１、７３間のナブ形体２５、２７を露出するようにプラグインサート２０を回転させる。次に、挿入／取り外し工具１８０は、取り除くことができるが、プラグインサートを支える。コネクタ４０、５０、フェルール５４、４４及びプラグインサート２０の取り外し及び／又は修理はこれにより完了する。
【００６０】
終端装置１０のための構造のための好ましい材料は下記のようなもである。すなわち、グリップリング１００は、アルミニウム合金であり、ハウジング７０はアルミニウム合金であり、クリンプスリーブ１７０は  arcap  ap1D  であり、インサートカップリング２０はＰＥＥＫポリマー、保持部材２１はポリマーであり、アライメントスリーブは銅合金であり、拡張スリーブ８０はアルミニウム合金であり、カバーチューブ１１０はアルミニウム合金であり、後部端プラグ１５０はアルミニウム合金であり、シール３９、中間シール６０、グリップシール９０、後部シール１３０、及びケーブルシール１４０は弾性エラストマー化合物であり、フェルール４２、５２はセラミック材料である。ラニヤード２４０は、ポリマーで被覆される金属ワイヤロープであり、ダストキャップ２５０はポリマーであり、キャップシール２８０はエラストマー化合物である。いろいろの他の部品は適当なエンジニアリング材料で構成されている。挿入／取り外し工具１８０のための構造の好ましい材料は下記のとおりである。すなわち、工具本体１８０は、パッシベート３０３ステンレススチールであり、工具バネ１８２は金属材料であり、プランジャ１８３は金属材料である。従って、構造の材料は、頑丈であり、敵の戦場環境の厳しさに耐える終端装置に提供する。
【００６１】
明らかに、本発明の多数の修正及び変更は上記の教示に照らして可能である。従って、添付された特許請求の範囲内で本発明はここに詳細に説明されているのとは別のやり方で実施されてもよいことを理解すべきである。
【図面の簡単な説明】
【図１】  本発明による終端装置の分解透視図である。
【図２】  図１の光ファイバアセンブリの透視図である。
【図３】  光ファイバ、クリンプスリーブ及びケーブルに接続されている２つの光ファイバアセンブリの分解透視図である。
【図４Ａ】  図１のプラグインサートの透視図である。
【図４Ｂ】  図４Ａのプラグインサートの端面図である。
【図４Ｃ】  図４Ｂの切断線４Ｃ‐４Ｃに沿った断面図である。
【図５Ａ】  図１のハウジングの側面図である。
【図５Ｂ】  図５Ｄの切断線５Ｂ‐５Ｂに沿ったハウジングの断面図である。
【図５Ｃ】  図５Ａのハウジングの挿入端の端面図である。
【図５Ｄ】  図５Ａの切断線５Ｄ‐５Ｄに沿ったハウジングの断面図である。
【図６】  図１のハウジング、プラグインサート、グリップリング、及び光ファイバコネクタの部分透視図である。
【図７Ａ】  図１の拡張スリーブ半分割体の側面図である。
【図７Ｂ】  図７Ａの切断線７Ｂ‐７Ｂに沿った拡張スリーブ半分割体の断面図である。
【図７Ｃ】  図７Ａの切断線７Ｃ‐７Ｃに沿った拡張スリーブ半分割体の断面図である。
【図８Ａ】  図１のグリップリングの側面図である。
【図８Ｂ】  図８Ａのグリップリングの端面図である。
【図８Ｃ】  図８Ｂの切断線８Ｃ‐８Ｃに沿ったグリップリングの断面図である。
【図９Ａ】  図１のカバーチューブの端面図である。
【図９Ｂ】  図９Ａの切断線９Ｂ‐９Ｂに沿ったカバーチューブの断面図である。
【図１０Ａ】  図１のバックエンドプラグの側面図である。
【図１０Ｂ】  図１０Ａのバックエンドプラグの端面図である。
【図１０Ｃ】  図１０Ｂの切断線１０Ｃ‐１０Ｃに沿ったバックエンドプラグの断面図である。
【図１０Ｄ】  バックエンドプラグの他の端部の端面図である。
【図１１Ａ】  クリンプスリーブの端面図である。
【図１１Ｂ】  図１１Ａの切断線１１Ｂ‐１１Ｂに沿ったクリンプスリーブの断面図である。
【図１２】  プラグインサート挿入／取り外し工具の分解透視図である。
【図１３】  図１２の挿入／取り外し工具の組み立て透視図である。
【図１４】  プラグインサートを保持する挿入／取り外し工具の透視図である。
【図１５】  戦術アクセス装置に取り付けるための本発明の終端装置の他の実施形態の分解透視図であり、挿入／取り外し工具も示されている。
【図１６】  図１の挿入／取り外し工具、プラグインサート、光ファイバ接続、及びハウジングの透視図である。
【図１７】  係合された構成要素を有する図１６のアセンブリの透視図である。
【図１】
0004786098.tif 000002
【図２】
0004786098.tif 000003
【図３】
0004786098.tif 000004
【図４Ａ】
0004786098.tif 000005
【図４Ｂ】
0004786098.tif 000006
【図４Ｃ】
0004786098.tif 000007
【図５Ａ】
0004786098.tif 000008
【図５Ｂ】
0004786098.tif 000009
【図５Ｃ】
0004786098.tif 000010
【図５Ｄ】
0004786098.tif 000011
【図６】
0004786098.tif 000012
【図７Ａ】
0004786098.tif 000013
【図７Ｂ】
0004786098.tif 000014
【図７Ｃ】
0004786098.tif 000015
【図８Ａ】
0004786098.tif 000016
【図８Ｂ】
0004786098.tif 000017
【図８Ｃ】
0004786098.tif 000018
【図９Ａ】
0004786098.tif 000019
【図９Ｂ】
0004786098.tif 000020
【図１０Ａ】
0004786098.tif 000021
【図１０Ｂ】
0004786098.tif 000022
【図１０Ｃ】
0004786098.tif 000023
【図１０Ｄ】
0004786098.tif 000024
【図１１Ａ】
0004786098.tif 000025
【図１１Ｂ】
0004786098.tif 000026
【図１２】
0004786098.tif 000027
【図１３】
0004786098.tif 000028
【図１４】
0004786098.tif 000029
【図１５】
0004786098.tif 000030
【図１６】
0004786098.tif 000031
【図１７】
0004786098.tif 000032